(57)【要約】【課題】  暗い環境におけるユーザの作業を容易にすること。【解決手段】  ナビゲーション装置は、車両に搭載可能であり、二次電池と、画像を表示するＬＣＤと、外部からの電力供給が遮断されたことを検出する検出手段（Ｓ０３）と、夜モードであることを検出する環境検出手段（Ｓ１３）と、夜モードが検出されているとき、外部からの電力供給が遮断されたことが検出された場合（Ｓ１３でＹＥＳ）、ＬＣＤが表示する画像の表示態様を明るくする表示態様切換手段（Ｓ１５）と、を含む。【選択図】        図３
2009132333.tif 000002
【特許請求の範囲】
【請求項１】
車両に搭載可能なナビゲーション装置であって、
二次電池と、
画像を表示する表示手段と、
外部からの電力供給が遮断されたことを検出する検出手段と、
周囲の環境が所定の環境であるかを検出する環境検出手段と、
前記所定の環境が検出されているとき、前記検出手段により外部からの電力供給が遮断されたことが検出された場合、前記表示手段が表示する画像の表示態様を明るくする表示態様切換手段と、を備えたナビゲーション装置。
【請求項２】
車両に搭載可能なナビゲーション装置であって、
二次電池と、
画像を表示する表示手段と、
外部からの電力供給が遮断されたことを検出する検出手段と、
周囲の環境が所定の環境であるかを検出する環境検出手段と、
前記所定の環境が検出されているときに、前記検出手段により外部からの電力供給が遮断されたことが検出された場合、前記表示手段に所定の画像を表示させる画像表示手段と、を備えたナビゲーション装置。
【請求項３】
前記所定の環境が検出されているとき、前記検出手段により外部からの電力供給が遮断されたことが検出された場合、前記表示手段が表示する画像の輝度を向上させる輝度制御手段をさらに備えた、請求項１または２に記載のナビゲーション装置。
【請求項４】
前記検出手段により外部からの電力供給が遮断されたことが検出された後所定の時間が経過すると、前記表示手段の駆動を停止させる停止手段をさらに備えた、請求項１または２に記載のナビゲーション装置。
【請求項５】
車両に搭載可能なナビゲーション装置の表示制御方法であって、
前記ナビゲーション装置は、
二次電池と、
画像を表示する表示手段と、を備え、
外部からの電力供給が遮断されたことを検出するステップと、
周囲の環境が所定の環境であるかを検出するステップと、
前記所定の環境が検出されているとき、外部からの電力供給が遮断されたことが検出される場合、前記表示手段が表示する画像の表示態様を明るくするステップと、を含む表示制御方法。
【請求項６】
車両に搭載可能なナビゲーション装置の表示制御方法であって、
前記ナビゲーション装置は、
二次電池と、
画像を表示する表示手段と、を備え、
外部からの電力供給が遮断されたことを検出する検出するステップと、
周囲の環境が所定の環境であるかを検出するステップと、
前記所定の環境が検出されているとき、外部からの電力供給が遮断されたことが検出される場合、前記表示手段に所定の画像を表示させるステップと、を含む表示制御方法。
【発明の詳細な説明】
【技術分野】
【０００１】
この発明は、ナビゲーション装置および表示制御方法に関し、特に車両に搭載可能なナビゲーション装置、それにより実行される表示制御方法に関する。
【背景技術】
【０００２】
近年、車両にナビゲーション装置が搭載されることが多く、盗難されることも多い。盗難防止のための技術として、特開平５−１６６０７５号公報に、操作ユニットを本体から取外した状態で、エンジンキースイッチがオフであると、発光ダイオードは点滅し、盗難防止モードであることを表示し、またエンジンキースイッチがオンであると、発光ダイオードは点灯（連続点灯）し、操作ユニットの再装着位置表示または再装着位置照明を行う盗難防止装置付電子機器が記載されている。しかしながら、車外からナビゲーション装置が見える場合には、盗難される恐れがある。このため、取り外して車外に持ち出す、車外から見えないところに隠すなどするユーザがいるが、夜間等は、暗闇で取り外す作業をしなければならず、取り外す作業が困難であるといった問題があった。
【特許文献１】特開平５−１６６０７５号公報
【発明の開示】
【発明が解決しようとする課題】
【０００３】
この発明は上述した問題点を解決するためになされたもので、この発明の目的の１つは、暗い環境におけるユーザの作業を容易にしたナビゲーション装置を提供することである。
【０００４】
この発明の他の目的の１つは、暗い環境におけるユーザの作業を容易にした表示制御方法を提供することである。
【課題を解決するための手段】
【０００５】
上述した目的を達成するためにこの発明のある局面によれば、ナビゲーション装置は、車両に搭載可能なナビゲーション装置であって、二次電池と、画像を表示する表示手段と、外部からの電力供給が遮断されたことを検出する検出手段と、周囲の環境が所定の環境であるかを検出する環境検出手段と、所定の環境が検出されているとき、検出手段により外部からの電力供給が遮断されたことが検出された場合、表示手段が表示する画像の表示態様を明るくする表示態様切換手段と、を備える。
【０００６】
この局面に従えば、所定の環境が検出されているとき、外部からの電力供給が遮断されると、表示される画像の表示態様が明るくなる。明るい画像を表示すれば、多くの光が照射されるので、環境を明るくすることができる。その結果、暗い環境におけるユーザの作業を容易にしたナビゲーション装置を提供することができる。
【０００７】
この発明の他の局面によれば、ナビゲーション装置は、車両に搭載可能なナビゲーション装置であって、二次電池と、画像を表示する表示手段と、外部からの電力供給が遮断されたことを検出する検出手段と、周囲の環境が所定の環境であるかを検出する環境検出手段と、所定の環境が検出されているときに、検出手段により外部からの電力供給が遮断されたことが検出された場合、表示手段に所定の画像を表示させる画像表示手段と、を備える。
【０００８】
この局面に従えば、所定の環境が検出されているとき、外部からの電力供給が遮断されると、所定の画像が表示される。所定の画像を、明るい画像とすれば、多くの光が照射されるので、環境を明るくすることができる。その結果、暗い環境におけるユーザの作業を容易にしたナビゲーション装置を提供することができる。
【０００９】
好ましくは、所定の環境が検出されているとき、検出手段により外部からの電力供給が遮断されたことが検出された場合、表示手段が表示する画像の輝度を向上させる輝度制御手段をさらに備える。
【００１０】
この局面に従えば、輝度が向上することにより、照射される光量が増加するので、環境をさらに明るくすることができる。
【００１１】
好ましくは、検出手段により外部からの電力供給が遮断されたことが検出された後所定の時間が経過すると、表示手段の駆動を停止させる停止手段をさらに備える。
【００１２】
この発明のさらに他の局面によれば、表示制御方法は、車両に搭載可能なナビゲーション装置の表示制御方法であって、ナビゲーション装置は、二次電池と、画像を表示する表示手段と、を備え、外部からの電力供給が遮断されたことを検出するステップと、周囲の環境が所定の環境であるかを検出するステップと、所定の環境が検出されているとき、外部からの電力供給が遮断されたことが検出される場合、表示手段が表示する画像の表示態様を明るくするステップと、を含む。
【００１３】
この局面に従えば、暗い環境におけるユーザの作業を容易にした表示制御方法を提供することができる。
【００１４】
この発明のさらに他の局面によれば、表示制御方法は、車両に搭載可能なナビゲーション装置の表示制御方法であって、ナビゲーション装置は、二次電池と、画像を表示する表示手段と、を備え、外部からの電力供給が遮断されたことを検出する検出するステップと、周囲の環境が所定の環境であるかを検出するステップと、所定の環境が検出されているとき、外部からの電力供給が遮断されたことが検出される場合、表示手段に所定の画像を表示させるステップと、を含む。
【００１５】
この局面に従えば、暗い環境におけるユーザの作業を容易にした表示制御方法を提供することができる。
【発明を実施するための最良の形態】
【００１６】
以下、図面を参照しつつ、本発明の実施の形態について説明する。以下の説明では、同一部品には同一の符号を付してある。それらの名称および機能も同じである。しがたってそれらについての詳細な説明は繰り返さない。
【００１７】
＜第１の実施の形態＞
図１は、本発明の実施の形態の一つにおける携帯用ナビゲーション装置の一例を示す斜視図である。図１を参照して、携帯用ナビゲーション装置１０は、支持装置としての支持用スタンド５０と結合し、支持用スタンドに結合されて一体となる。支持用スタンド５０は、基台５１と、回転軸受５３と、回転軸受５３により回転可能に支持される回転軸５５と、回転軸５５にその一端が接続されたスタンドアーム５７と、スタンドアーム５７の他端と結合される取付ステー５９と、シガーライター接続ケーブル７３と、を含む。
【００１８】
基台５１は、その裏面が車両のダッシュボードの上面に例えば接着材で接着される。回転軸受５３は、基台５１のほぼ中央に固定されており、回転軸５５を回転可能に支持する。また、回転軸受５３は、回転軸５５が容易に回転しないように回転軸５５の自由な回転を抑制するストッパーを有する。
【００１９】
回転軸５５の回転軸受５３と結合する他端にスタンドアーム５７が結合される。さらにスタンドアーム５７の回転軸５５と結合する端部と反対の端部に取付ステー５９が結合している。取付ステー５９は、携帯用ナビゲーション装置１０を着脱自在に保持する。また、取付ステー５９は、携帯用ナビゲーション装置１０と結合したときに、携帯用ナビゲーション装置１０が容易に分離することがないように、携帯用ナビゲーション装置１０の凹部と係合する爪６０を有する。
【００２０】
基台５１の内部から伸びるシガーライター接続ケーブル７３は、その一端に車両が備えるシガーライターソケットに挿入可能なプラグ７１を有する。シガーライター接続ケーブル７３は、回転軸受５３、回転軸５５、スタンドアーム５７の内部を通って、その他端が取付ステー５９の端子６１Ａ，６１Ｂと接続されている。
【００２１】
図２は、本実施の形態における携帯用ナビゲーション装置のハードウェア構成の概要を示す機能ブロック図である。図２を参照して、携帯用ナビゲーション装置１０は、携帯用ナビゲーション装置１０の全体を制御するための中央演算装置（ＣＰＵ）１１と、ＣＰＵ１１が実行するプログラム等を記憶するＲＯＭ（Ｒeａｄ  Ｏｎｌｙ  Ｍｅｍｏｒｙ）１９と、ＣＰＵ１１の作業領域として用いられるＲＡＭ（Ｒａｎｄｏｍ  Ａｃｃｅｓｓ  Ｍｅｍｏｒｙ）２１と、ＧＰＳ受信機１３と、ＴＶ受信機１４と、液晶表示装置（ＬＣＤ）２３と、タッチスクリーン２５と、操作キー２７と、オーディオコーデック２９と、バックライト３１と、オーディオコーデック２９に接続された増幅器３３と、増幅器３３と接続されたスピーカ３５と、ビデオデコーダ３７と、二次電池３９と、電源回路４１と、メモリインターフェース（Ｉ／Ｆ）１５と、シリアル通信Ｉ／Ｆ１７と、を含む。
【００２２】
ＧＰＳ受信機１３は、全地球測位システム（ＧＰＳ）におけるＧＰＳ衛星から送信される電波を受信し、現在の地図上の位置を計測する。そして、計測した位置をＣＰＵ１１に出力する。メモリＩ／Ｆ１５には、着脱可能なメモリカード１５Ａが装着される。ＣＰＵ１１は、メモリカード１５Ａに記憶された地図データを読み出し、ＧＰＳ受信機１３から入力される現在位置を地図上に記した画像をＬＣＤ２３に表示する。なお、ＬＣＤ２３に代えて、有機ＥＬＤ（Ｅｌｅｃｔｒｏ  Ｌｕｍｉｎｅｓｃｅｎｃｅ  Ｄｉｓｐｌａｙ）等のディスプレイを用いるようにしてもよい。
【００２３】
バックライト３１は、ＬＣＤ２３の裏側に配置され、ＬＣＤ２３に向けて光を照射する。ＬＣＤ２３は、複数の画素を有し、画素ごとにバックライト３１から照射された光を透過または遮断することにより画像を表示する。すなわち、バックライト３１から照射された光を透過する画素は明るくなり、透過しない画素は暗くなる。ＬＣＤ２３がカラーの画像を表示する場合、ＬＣＤ２３は、赤（Ｒ）、緑（Ｇ）および青（Ｂ）の３つの画素の組で色を再現し、３つのすべての画素が光を透過する場合、白色が再現される。このため、ＬＣＤ２３が、その画面全体が白色の画像を再現する場合、バックライト３１から照射される光が最も多くＬＣＤ２３を透過し、ＬＣＤ２３の前面に照射される。
【００２４】
なお、ＬＣＤ２３に代えて有機ＥＬ（Ｅｌｅｃｔｒｏ−Ｌｕｍｉｎｅｓｃｅｎｃｅ）ディスプレイを用いることができ、有機ＥＬディスプレイを用いる場合は、バックライト３１は不要である。有機ＥＬディスプレイにおいてもＬＣＤ２３の場合と同様に、有機ＥＬディスプレイにより表示される明るい画像は照射する光の量が暗い画像より多い。さらに、有機ＥＬディスプレイが表示する色のうち白色が最も照射する光の量が多く、画面全体が白色の画像を表示する場合は、最も多くの光を有機ＥＬシスプレイの前面に照射する。
【００２５】
ＣＰＵ１１は、ＧＰＳ受信機１３が２つの異なる時刻に計測した２つの位置に基づいて、携帯用ナビゲーション装置１０が移動しているか否かを判断する。２つの位置が異なれば、移動していると判断し、２つの位置が同じならば移動していないと判断する。
【００２６】
ＴＶ受信機１４は、テレビジョン放送信号を受信し、映像信号に変換してＣＰＵ１１に出力する。テレビジョン放送信号は、アナログテレビジョンの放送信号に限られずデジタルテレビジョンの放送信号を含む。ＣＰＵ１１は、映像信号をＬＣＤ２３に出力することにより、ＬＣＤ２３にテレビジョン放送の映像が表示される。
【００２７】
タッチスクリーン２５は、透明な部材からなり、ＬＣＤ２３の表示面上に設けられる。タッチスクリーン２５は、ユーザが指等で指示したＬＣＤ２３の表示面における位置を検出し、ＣＰＵ１１に出力する。ＣＰＵ１１は、ＬＣＤ２３に各種ボタンを表示することにより、タッチスクリーンにより検出される指示された位置と組み合わせて、各種の操作指示を受け付ける。ＣＰＵ１１がＬＣＤ２３に表示する操作画面は、携帯用ナビゲーション装置１０を操作するための操作画面を含む。操作キー２７は、ボタンスイッチであり、主電源のオンとオフとを切換える電源キーを含む。
【００２８】
オーディオコーデック２９は、アナログの音声信号をデジタルデータに変換する回路と、デジタルデータをアナログの音声信号に変換する回路とを含み、音データを処理する。オーディオコーデック２９は、圧縮符号化された音声データが入力されると、アナログの音声信号に変換し、増幅器３３に出力する。
【００２９】
ＣＰＵ１１は、メモリカード１５Ａに、例えば、ＭＰ３（ＭＰＥＧ  Ａｕｄｉｏ  Ｌａｙｅｒ−３）などの規格で圧縮符号化された音データが記憶されている場合、その音データを読み出し、オーディオコーデック２９に出力することができる。これにより、メモリカード１５Ａに記憶された音楽等の音がスピーカ３５から出力される。
【００３０】
ビデオデコーダ３７は、入力されるデジタルデータをアナログの映像信号に変換する復号回路を含む。ビデオデコーダ３７は、ＣＰＵ１１により制御され、圧縮符号化された映像データが入力されると、それをアナログのビデオ信号に変換し、ＬＣＤ２３に出力する。ＣＰＵ１１は、メモリカード１５Ａに、例えば、ＭＰＥＧ（Ｍｏｖｉｎｇ  Ｐｉｃｔｕｒｅ  Ｅｘｐｅｒｔｓ  Ｇｒｏｕｐ）などの規格で圧縮符号化された映像データが記憶されている場合、その映像データを読み出し、ビデオデコーダに出力する。これにより、ＬＣＤ２３に映像が表示される。
【００３１】
電源回路４１は、その入力端子が端子４３Ａおよび４３Ｂと接続される。端子４３Ａ，４３Ｂそれぞれは、携帯用ナビゲーション装置１０が支持用スタンド５０に装着されると、取付ステー５９が備える端子６１Ａ，６１Ｂと電気的にそれぞれ接続される。端子６１Ａ，６１Ｂは、プラグ７１が車両の備えるシガーライターソケットに挿入されていれば、車両バッテリにそれぞれ接続される。従って、携帯用ナビゲーション装置１０が支持用スタンド５０に装着された場合、電源回路４１に車両バッテリから電力が供給される。電源回路４１は、携帯用ナビゲーション装置１０が支持用スタンド５０に装着されている間は、車両バッテリから供給される電力を携帯用ナビゲーション装置１０の全体に供給する。
【００３２】
なお、ここでは携帯用ナビゲーション装置１０が指示用スタンド５０に装着されることにより、入力端子４３Ａおよび４３Ｂが、取付ステー５９が備える端子６１Ａ，６１Ｂと電気的に接続され、携帯用ナビゲーション装置１０がシガーライター接続ケーブル７３と接続される例を示したが、携帯用ナビゲーション装置１０にシガーライター接続ケーブル７３の差込口を設け、携帯用ナビゲーション装置１０にシガーライター接続ケーブル７３を差込口に差し込むことで、携帯用ナビゲーション装置１０にシガーライター接続ケーブル７３を接続するようにしてもよい。
【００３３】
二次電池３９は、電源回路４１と並列接続される。二次電池３９は、蓄電量が減少すると、携帯用ナビゲーション装置１０が支持用スタンド５０に装着されている間は、車両バッテリから電力が供給され、充電される。二次電池３９は、携帯用ナビゲーション装置１０が支持用スタンド５０から切り離されたときは、放電し、電源回路４１に代わって携帯用ナビゲーション装置１０の全体に電力を供給する。したがって、携帯用ナビゲーション装置１０は、支持用スタンド５０に装着されていなくても、二次電池３９から電力の供給を受けて駆動することができる。
【００３４】
ＣＰＵ１１は、その入力端子が端子４３Ａに接続される。端子４３Ａは、携帯用ナビゲーション装置１０が支持用スタンド５０に装着されると、取付ステー５９が備える端子６１Ａと電気的に接続される。端子６１Ａは、車両バッテリのグランド（ＧＮＤ）と接続される。従って、ＣＰＵ１１は、端子４３Ａの電圧のハイローを検出することで、車両バッテリ（外部電源）と電気的に接続されている否かを検出することができる。換言すれば、車両バッテリから供給される電力が遮断されたことを検出することができる。
【００３５】
図３は、表示制御処理の流れの一例を示すフローチャートである。表示制御処理は、ＣＰＵ１１が表示制御プログラムを実行することにより、ＣＰＵ１１により実行される処理である。
【００３６】
図３を参照して、ステップＳ０１においてＣＰＵ１１が表示態様切換処理を実行する。表示態様切換処理の詳細は後述するが、携帯用ナビゲーション装置１０のモードを判定し、ＬＣＤ２３が表示する画像の表示態様を、判定されたモードに応じた表示態様に切り換える処理である。モードは、携帯用ナビゲーション装置１０が取り得る状態をいい、ここでは昼モードと夜モードとがある。携帯用ナビゲーション装置１０は、昼モードと夜モードのいずれか一方のモードに切り換えられる。携帯用ナビゲーション装置１０は、周辺が明るい状態で昼モードに切り換えられ、周辺が明るくない状態で夜モードに切り換えられる。
【００３７】
表示態様は、第１表示態様と第２表示態様とがある。第２表示態様は、第１表示態様よりも画像が明るい。例えば、第２表示態様で表示される画像は、第１表示態様で表示される画像の明るい部分と暗い部分とを反転した画像である。このため、携帯用ナビゲーション装置１０が昼モードに切り換えられているとき、夜モードに切り換えられているときよりも画像が明るく表示される。逆に、携帯用ナビゲーション装置１０が夜モードに切り換えられているとき、昼モードに切り換えられているときよりも画像が暗く表示される。例えば、第２表示態様の画像を表示すると、ＬＣＤ２３に明るい画像が表示されるため、周辺が暗い環境においては、バックライト３１から照射された光がＬＣＤ２３を透過して前面に放出される。このため、バックライト３１から照射された光が運転者に照射されるので、運転する動作に支障を与える。このため、携帯用ナビゲーション装置２３が夜モードに切り換えられているときは、第２表示態様の画像よりも暗い第１表示態様の画像を表示するようにしている。また、周辺が明るい環境においては、バックライト３１から照射された光がＬＣＤ２３を透過して前面に放出されるが、車両の周辺から運転者に照射される光の方が光量が多いので、運転する動作に支障を与えない。逆に、明るい画像を表示することにより、画像を見やすくすることができる。このため、携帯用ナビゲーション装置１０が昼モードに切り換えられているときは、第１表示態様の画像よりも明るい第２表示態様の画像を表示するようにしている。
【００３８】
ステップＳ０２において、ステップＳ０１でＣＰＵ１１により設定された表示態様で、ナビゲーション動作が行われる。ナビゲーション動作とは、ＧＰＳ受信機１３により特定された現在の車の位置を特定した地図を表示する処理、現在の車の位置から目的地までの経路を探索し、経路を特定した地図上を表示する処理、ＴＶ受信機１４により受信された映像を表示する処理、メモリＩ/Ｆ１４に装着されたメモリカード１５Ａに記憶された音楽データを再生する処理等を含む。
【００３９】
その後、ステップＳ０３において、外部電源がＯＦＦになったか否かを判断する。外部電源がＯＦＦになったことを検出すると、処理をステップＳ０４に進め、そうでなければ処理をステップＳ０１に戻す。外部電源がＯＮからＯＦＦへの変化の検出は、外部からの電力供給が遮断されたことの検出である。外部電源は、ここでは車両に搭載されているバッテリである。具体的には、ＣＰＵ１１は、端子４３Ａと接続される端子の電圧がハイならば、外部電源がＯＦＦと判断し、電圧がローならば外部電源がＯＮと判断する。外部電願がＯＮと判断するのは、プラグ７１が車両バッテリに接続されたシガーソケットに接続されており、かつ車両のアクセサリ電源がＯＮになっており、かつ携帯用ナビゲーション装置１０が支持用スタンド５０に装着されている場合であり、外部電源がＯＦＦと判断するのは、プラグ７１がシガーソケットに接続されていない場合、車両のアクセサリ電源がＯＦＦの場合、または携帯用ナビゲーション装置１０が支持用スタンド５０に装着されていない場合のいずれかの場合である。
【００４０】
ステップＳ０４において、表示時間を２０秒に設定する。次のステップＳ０５においては、問合せ画面をＬＣＤに表示し、処理をステップＳ０６に進める。問合せ画面は、ナビゲーション動作を継続するか否かを問合せる画面である。問合せ画面は、例えば「ナビゲーション動作を継続しますか？」のメッセージと、「はい」の文字が表されたボタンと、「いいえ」の文字が表されたボタンとを含む。ステップＳ０８において、ＣＰＵ１１はステップＳ０４において設定された表示時間が経過したか否かを判断する。経過したと判断すれば処理をステップＳ１２に進め、そうでなければ処理をステップＳ０５に戻す。このため、ステップＳ０５で表示された問合せ画面が、２０秒が経過するまで、または、ユーザが指示を入力するまで表示される。なお、ここでは表示時間を２０秒に設定するようにしたが、これに限定されるわけではない。ステップＳ０５において問合せ画面が表示されてからユーザが指示するのに十分な時間であればよい。
【００４１】
ステップＳ０６においては、ナビゲーション動作を継続するかまたは継続しないかのいずれかの指示を受け付けたか否かを判断する。いずれかの指示を受け付けたならば処理をステップＳ０７に進め、そうでなければ、処理をステップＳ０８に進める。具体的には、ユーザが操作キー２７に入力する指示を受け付ける。ユーザが、問合せ画面に含まれる「はい」の文字が表されたボタンを指示すれば、ナビゲーション動作を継続する指示を受け付けるが、「いいえ」の文字が表されたボタンを指示すれば、ナビゲーション動作を継続しない指示を受け付ける。
【００４２】
ステップＳ０７においては、ステップＳ０６において受け付けられた指示がナビゲーション動作を継続する指示か否かの判断がされる。受け付けられた指示がナビゲーション動作を継続する指示ならば処理をステップＳ０９に進め、ナビゲーション動作を継続しない指示ならば処理をステップＳ１３に進める。
【００４３】
処理をステップＳ０９に進める場合、ステップＳ０１およびステップＳ０２と同様に表示態様切換処理を実行し（ステップＳ０９）、ナビゲーション動作を実行し（ステップＳ１０）、処理をステップＳ１１に進める。ステップＳ１１においては、内部電源をＯＦＦにする指示を受け付けか否かを判断する。内部電源をＯＦＦにする指示を受け付けたならば処理をステップＳ１２に進め、そうでなければ処理をステップＳ０９に戻す。内部電源をＯＦＦにする操作は、例えばメイン電源スイッチをＯＦＦにする操作である。ステップＳ１２においては、内部電源をＯＦＦにし、処理を終了する。具体的には、二次電池３９から供給される電力を遮断する。
【００４４】
一方、処理をステップＳ１３に進めるのは、ステップＳ０７において受け付けられた指示がナビゲーション動作を継続しない指示の場合である。ステップＳ１３においては、携帯用ナビゲーション装置１０が夜モードと昼モードとのいずれに切り換えられているか判断する。夜モードに切り換えられていると判断すれば処理をステップＳ１４に進め、そうでなければ処理をステップＳ１２に進める。昼モードに切り換えられているときは、周辺が明るい環境なので、そのまま内部電源をＯＦＦにしても携帯用ナビゲーション装置１０が盗難されることから防止するための作業に支障はないからである。
【００４５】
ステップＳ１４においては、照射時間を９０秒に設定し、処理をステップＳ１５に進める。ステップＳ１５においては、ＬＣＤ２３に表示する画像の表示態様を第２表示態様に切り換える。ＬＣＤ２３に表示される画像が第１表示態様の場合よりも第２表示態様の場合の方が明るい。バックライト３１から照射された光のうちＬＣＤ２３を透過する光の量が多いので、第２表示態様に切り換えた後は、切り換える前より多くの光が照射される。ＬＣＤ２３に代えて、有機ＥＬディスプレイを用いる場合、有機ＥＬディスプレイが表示する第１表示態様の画像は、第２表示態様の画像よりも明るく、照射する光の量が多いので、第２表示態様に切り換えた後は、切り換える前より多くの光が照射される。
【００４６】
ステップＳ１６においては、バックライト３１の輝度を向上させる。バックライトの輝度が向上すると、バックライト３１から照射される光の量が増加するので、さらに明るく周辺を照らすことができる。ＬＣＤ２３に代えて、有機ＥＬディスプレイを用いる場合、有機ＥＬディスプレイの輝度を向上させる。輝度が高くなれば照射される光の量が増加するので、さらに明るく周辺を照らすことができる。
【００４７】
次のステップＳ１７においては、ステップＳ１４において設定された表示時間が経過したか否かを判断する。表示時間が経過したならば処理をステップＳ１８に進め、そうでなければ処理をステップＳ１５に戻す。これにより、第１表示態様で表示される画像よりも明るい第２表示態様で画像が９０秒間表示される。したがって、バックライト３１が照射する光で９０秒間暗い周辺を明るく照らすことができる。ＬＣＤ２３に代えて、有機ＥＬディスプレイを用いる場合、有機ＥＬディスプレイが照射する光で９０秒間暗い周辺を明るく照らすことができる。このため、９０秒間携帯用ナビゲーション装置１０を懐中電灯として使用することができる。
【００４８】
なお、ステップＳ１５が実行された後にステップＳ０１が実行されないので、夜モードに切り換えられているときに第１表示態様に切り換える処理が実行されるのが禁止され、第２表示態様に切り換えられた後に第１表示態様に切り換えられない。なお、ここでは、照射時間を９０秒に設定するようにしたが、これに限定されることなく、外部電源をＯＦＦにしてから携帯用ナビゲーション装置１０が盗難されることから防止するための作業をユーザが行うのに十分な時間とすればよい。
【００４９】
ステップＳ１８において、画像の表示を停止し、処理をステップＳ１２に進める。具体的には、ＬＣＤ２３とバックライト３１の駆動を停止する。これにより、バックライト３１から光が照射されなくなり、ＬＣＤ２３が画像を表示するのが停止される。ＬＣＤ２３に代えて、有機ＥＬディスプレイを用いる場合、有機ＥＬディスプレイの駆動を停止し、有機ＥＬディスプレイが画像を表示するのを停止させる。ステップＳ１２においては、内部電源をＯＦＦにし、処理を終了する。
【００５０】
図４は、表示態様切換処理の流れの一例を示すフローチャートである。表示態様切換処理は、図３のステップＳ０１において実行される処理である。図４を参照して、ステップＳ２１において、ＣＰＵ１１は、現在時刻を取得する。そして、ＲＯＭ１９に記憶されているタイムテーブルを読み出す（ステップＳ２２）。次のステップＳ２３において、現在の時間とステップＳ２２で読み出したタイムテーブルとに基づいて携帯用ナビゲーション装置が設定されているモードを判定する。タイムテーブルとは、夜モードと昼モードとにそれぞれ対応する時間帯を定義した表である。ここでは、タイムテーブルは、７：００〜１９：００の時間帯を昼モードに対応付け、１９：０１〜６：５９を夜モードに対応付ける。昼モードが対応付けられる時間帯における周囲の環境（第２の環境）は、夜モードが対応付けられる時間帯における周囲の環境（第１の環境）よりも明るい。
【００５１】
次のステップＳ２３においては、ステップＳ２１において取得された現在の時刻が含まれる時間帯がタイムテーブルにより夜モードに対応付けられているか否かを判断する。夜モードに対応付けられていれば処理をステップＳ２４に進め、昼モードであれば処理をステップＳ２５に進める。
【００５２】
ステップＳ２４においては、ＬＣＤ２３に表示する画像を第１表示態様に設定し、処理を表示制御処理に戻す。一方、ステップＳ２５においては、ＬＣＤ２３に表示する画像を第２表示態様に設定し、処理を表示制御処理に戻す。
【００５３】
なお、ここでは現在時刻とタイムテーブルとから昼モードと夜モードとのいずれであるかを判定するようにしたが、光センサを備えるようにし、光センサで検出される光の量がしきい値を超えていれば昼モードと判定し、しきい値以下ならば夜モードと判定するようにしてもよい。この場合、例えば、昼の時間帯であっても、屋内の駐車場などの暗い場所で、携帯用ナビゲーション装置を盗難なから防止するための作業をしやすくすることができる。
【００５４】
＜第２の実施の形態＞
第１の実施の形態における携帯用ナビゲーション装置は、ＬＣＤ２３に表示する画像の表示態様を切り換えるようにしたが、第２の実施の形態における携帯用ナビゲーション装置は、ＬＣＤ２３に表示する画像を変更するようにしたものである。以下、第１の実施の形態における携帯用ナビゲーション装置１０と異なる点を説明する。
【００５５】
図５は、表示制御処理の流れの一例を示す別のフローチャートである。図５を参照して、図３に示した表示制御処理と異なる点は、ステップＳ１５Ａを変更した点である。その他の処理は、図３に示した処理と同じなのでここでは説明を繰り返さない。
【００５６】
図５を参照して、ステップＳ１５Ａにおいては、ＣＰＵ１１は、ＬＣＤ２３に所定の画像を表示する。所定の画像は、例えば全体が白の白画像である。白画像は、ＲＧＢ各々の画素がバックライト３１の光を透過するので、ＬＣＤ３１の全面がバックライト３１の照射する光を透過する。すなわち、白画像は、ＬＣＤ３１が表示する画像のうちで最も多くの光を透過する画像である。なお、所定の画像は、バックライト３１の光を透過する画像であればよく、全面が白色である必要はなく、一部が白色であってもよい。なお、本実施の形態では、白画像を表示することにしたが、多くの光を透過する画像であれば例えば黄色や青白の画像にしてもよい。
【００５７】
ＬＣＤ２３に代えて、有機ＥＬディスプレイを用いる場合においても所定の画像は、例えば全体が白の白画像である。白画像は、ＲＧＢ各々の画素が光を照射するので、多くの光が照射される。すなわち、白画像は、有機ＥＬディスプレイが表示する画像のうちで最も多くの光を照射する画像である。なお、所定の画像は、照射する光の量が多い画像であればよく、全面が白色である必要はなく、一部が白色であってもよい。なお、白画像に限らず、多くの光を照射する画像であれば例えば黄色や青白の画像にしてもよい。
【００５８】
ステップＳ１４において、照射時間に９０秒が設定されているので、９０秒間白画像が表示される。したがって、バックライト３１が照射する光で９０秒間暗い周辺を明るく照らすことができる。ＬＣＤ２３に代えて、有機ＥＬディスプレイを用いる場合、有機ＥＬディスプレイが照射する光で９０秒間暗い周辺を明るく照らすことができる。このため、９０秒間携帯用ナビゲーション装置１０を懐中電灯として使用することができ、携帯用ナビゲーション装置の撤収作業がし易くなる。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】本発明の実施の形態の一つにおける携帯用ナビゲーション装置の一例を示す斜視図である。
【図２】本実施の形態における携帯用ナビゲーション装置のハードウェア構成の概要を示す機能ブロック図である。
【図３】表示制御処理の流れの一例を示すフローチャートである
【図４】表示態様切換処理の流れの一例を示すフローチャートである
【図５】表示制御処理の流れの一例を示す別のフローチャートである。
【符号の説明】
【００６１】
１０  携帯用ナビゲーション装置、１１  ＣＰＵ、１３  ＧＰＳ受信機、１４  ＴＶ受信機、１５  メモリＩ／Ｆ、１５Ａ  メモリカード、１７  シリアル通信Ｉ／Ｆ、２３  ＬＣＤ、２５  タッチスクリーン、２７  操作キー、２９  オーディオコーデック、３１  バックライト、３３  増幅器、３５  スピーカ、３７  ビデオデコーダ、３９  二次電池、４１  電源回路、４３Ａ，４３Ｂ  端子、５０  支持用スタンド、５１  基台、５３  回転軸受、５５  回転軸、５７  スタンドアーム、５９  取付ステー、６０  爪、６１Ａ，６１Ｂ  端子、７１  プラグ、７３  シガーライター接続ケーブル。
【図１】
2009132333.tif 000003
【図２】
2009132333.tif 000004
【図３】
2009132333.tif 000005
【図４】
2009132333.tif 000006
【図５】
2009132333.tif 000007